(57)【要約】【課題】  二つ折りされたホースを簡単に且つきれいに巻き取ることができるホース巻取り装置を提供すること。【解決手段】  二つ折りされたホースを巻き取るためのホース巻取り部６６を備えたホース巻取り装置。ホース巻取り部６６は、相対的に回転自在である第１及び第２回転軸７２，７４と、第１回転軸７２と一体的に回動する主巻取り軸７８及び当接部材７６と、第２回転軸７４と一体的に回動する副巻取り軸８６と、第１回転軸７２を回転駆動させるための回転操作ハンドル９０と、を備えている。ホース６４を巻き取るときには、副巻取り軸８６が当接部材７６の第１当接部に当接し、主巻取り軸７８及び副巻取り軸８６は大きな外周円を規定し、ホース６４を取り外すときには、副巻取り軸８６が当接部材７６の第２当接部に当接し、主巻取り軸７８及び副巻取り軸８６は小さな外周円を規定する。  【選択図】  図３
2007099501.tif 000002
【特許請求の範囲】
【請求項１】
二つ折りされたホースを巻き取るためのホース巻取り部を備えたホース巻取り装置において、
前記ホース巻取り部は、巻取りハウジングに回転自在に支持された第１回転軸と、前記第１回転軸に相対的に回転自在に支持された第２回転軸と、前記第１回転軸と一体的に回動する主巻取り軸と、前記第２回転軸と一体的に回動する副巻取り軸と、前記第１回転軸と一体的に回動するように設けられ、前記副巻取り軸が当接する第１及び第２当接部を有する当接部材と、前記第１回転軸を回転駆動させるための回転操作ハンドルと、を備えており、
前記副巻取り軸が前記第１当接部に当接する第１状態においては、前記主巻取り軸及び前記副巻取り軸を結ぶ外周円は大きくなるように構成され、前記副巻取り軸が前記第２当接部に当接する第２状態においては、前記主巻取り軸及び前記副巻取り軸を結ぶ外周円は小さくなるように構成されており、
前記ホースを巻き取るときには、前記ホースを二つ折りして前記副巻取り軸に差し込んで前記主巻取り軸に巻き掛けた状態にて、前記回転操作ハンドルが所定方向に回動され、前記副巻取り軸に対して前記主巻取り軸が前記所定方向に相対的に回動され、前記当接部材の前記第１当接部が前記副巻取り軸に当接された後は前記主巻取り軸及び前記副巻取り軸が一体的に回動して前記ホースを巻き取り、また巻き取った前記ホースを取り外すときには、前記回転操作ハンドルが前記所定方向と反対方向に回動され、前記主巻取り軸が前記副巻取り軸に対して相対的に回動され、前記当接部材の前記第２当接部が前記副巻取り軸に当接されることを特徴とするホース巻取り装置。
【請求項２】
前記主巻取り軸は、その縦断面形状が半円乃至三日月状で、片側に円弧状に突出しており、前記第１状態においては、前記円弧状突部が前記副巻取り軸から離隔する離隔位置に位置し、これにより前記主巻取り軸及び前記副巻取り軸を結ぶ外周円は大きくなり、また前記第２状態においては、前記円弧状突部が前記副巻取り軸に近接する近接位置に位置し、これにより前記主巻取り軸及び前記副巻取り軸を結ぶ外周円は小さくなることを特徴とする請求項１に記載のホース巻取り装置。
【請求項３】
装置本体に所定方向に延びる旋回軸線を中心として旋回自在に装着された旋回アームを備え、前記旋回アームに前記ホース巻取り部の前記巻取りハウジングが設けられているとともに、前記旋回アーム又は前記巻取りハウジングに押圧アームが設けられ、また前記装置本体に前記ホースを案内するための案内ローラが回転自在に設けられており、前記ホースを巻き取るときには、前記押圧アームを下方に押圧させて前記主巻取り軸及び前記副巻取り軸間に巻き取られる前記ホースの所定部位を前記案内ローラに接触乃至押圧させながら前記回転操作ハンドルを前記所定方向に回動させることを特徴とする請求項１又は２に記載のホース巻取り装置。
【請求項４】
ホースを巻き取るためのホース巻取り部を備えたホース巻取り装置において、
前記ホース巻取り部は、巻取りハウジングに回転自在に支持された回転軸と、前記回転軸に周方向に間隔をおいて配設され、前記ホースを巻き取る巻取り角度位置と前記巻取り角度位置から径方向内方に揺動した取外し角度位置との間を揺動自在である複数の巻取り部材と、前記複数の巻取り部材を前記巻取り角度位置に保持するための第１の位置と前記取外し角度位置への揺動を許容するための第２の位置との間を移動自在に前記回転軸に支持された保持手段と、前記回転軸を回転駆動させるための回転操作ハンドルと、を備えており、
前記ホースを巻き取るときには、前記保持手段が前記第１の位置に位置付けられて前記複数の巻取り部材が前記巻取り角度位置に保持され、この状態にて前記回転操作ハンドルが所定方向に回動され、前記回転軸が前記所定方向に回動されて前記ホースが前記複数の巻取り部材に巻き取られ、また巻き取った前記ホースを取り外すときには、前記保持手段が前記第１の位置から前記第２の位置に位置付けられ、これによって前記複数の巻取り部材が前記巻取り角度位置から前記取外し角度位置への揺動が許容されることを特徴とするホース巻取り装置。
【請求項５】
前記複数の巻取り部材の内側部には、基部側から先端側に向けて順に、巻取り角度保持部、前記巻取り角度保持部の先端部から先端側に向けて径方向外方に延びるテーパ部、及び前記テーパ部の先端部から先端側に延びる取外し角度保持部が設けられており、前記保持手段は、前記巻取り角度保持部から前記テーパ部を通って前記取外し角度保持部まで移動する保持部材を備えており、前記保持手段が前記第１の位置にあるときには、前記保持部材が前記複数の巻取り部材の前記巻取り角度保持部に位置付けられ、また前記保持手段が前記第１の位置から前記ホース保持部材の先端側に前記第２の位置まで移動されると、前記保持部材が前記複数の巻取り部材の前記取外し角度保持部に位置付けられることを特徴とする請求項４に記載のホース巻取り装置。
【請求項６】
前記複数の巻取り部材の内側部には、基部側から先端側に向けて順に、取外し角度保持部、前記取外し角度保持部の先端部から先端側に向けて径方向内方に延びるテーパ部、及び前記テーパ部の先端部から先端側に延びる巻取り角度保持部が設けられており、前記保持手段は、前記巻取り角度保持部から前記テーパ部を通って前記取外し角度保持部まで移動する保持部材を備えており、前記保持手段が前記第１の位置にあるときには、前記保持部材が前記複数の巻取り部材の前記巻取り角度保持部に位置付けられ、また前記保持手段を前記ホース保持部材の基部側に前記第２の位置まで移動させると、前記保持部材が前記複数の巻取り部材の前記取外し角度保持部に位置付けられることを特徴とする請求項４に記載のホース巻取り装置。
【請求項７】
前記巻取り部は装置本体に設けられ、前記装置本体の所定部位には、前記回転操作ハンドルを下方に延びる状態に磁気的に保持するための保持用磁石が設けられていることを特徴とする請求項４〜６のいずれかに記載のホース巻取り装置。
【発明の詳細な説明】
【技術分野】
【０００１】
本発明は、消防用ホース、排水用ホースなどのホースを巻き取るためのホース巻取り装置に関する。
【背景技術】
【０００２】
例えば、消防用ホースを巻き取るためのホース巻取り装置として、装置本体に回転自在に支持された回転軸と、この回転軸と一体的に回転する円板と、回転軸に着脱自在に装着される中心棒と、円板に取り付けられた巻取りピンと、回転軸とともに円板を回転させるためのハンドルとを備えたものが知られている（例えば、特許文献１参照）。このホース巻取り装置を用いて消防用ホースを巻き取るには、二つ折りした消防ホースのほぼ中心部を中心棒と巻取りピンとの間に差し込み、この状態にてハンドルを所定方向に回動させればよい。かくハンドルを回転させると、回転軸及び円板が一体的に回動し、回転軸に装着された中心棒及び巻取りピンの外周囲に二つ折りされた消防用ホースが巻き取られる。そして、このように巻き取った消防用ホースを取り外すには、回転軸から中心棒を外し、かかる状態にて巻き取ったホースを外側（円板から離れる方向）に引っ張って回転軸及び巻取りピンから外せばよい。
【０００３】
【特許文献１】実用新案登録第３０４２２９９号公報
【発明の開示】
【発明が解決しようとする課題】
【０００４】
しかしながら、このようなホース巻取り装置には、次の通りの解決すべき問題がある。第１に、二つ折りされた消防用ホースを巻き取るときには、回転軸に中心棒を取り付け、巻き取ったこのホースを取り外すときは、回転軸からこの中心棒を取り外す必要があり、それ故に、ホースの巻取り作業が幾分煩雑であるとともに、取り外したときに中心棒を紛失するおそれがある。第２に、二つ折りされたホースを巻き取るときには、ホースの一端側は装置本体の下部に設けられた下ガイド部（又は装置本体から片側の斜め上方に延びる斜め上方ガイド部）に案内されるように、またホースの他端側は装置本体から他側の斜め上方に延びる斜め上ガイド部に案内されるように構成されており、それ故に、装置全体が大型化するとともに、二つ折りされたホースを所要の通りにきれいに堅く巻き取ることが困難である。
【０００５】
本発明の目的は、部品取付け、取外しを行うことなく、二つ折りされたホースを簡単に且つきれいに巻き取ることができるホース巻取り装置を提供することである。
本発明の他の目的は、二つ折りされたホースを堅くきれいに巻き取ることができるホース巻取り装置を提供することである。
【課題を解決するための手段】
【０００６】
本発明の請求項１に記載のホース巻取り装置は、二つ折りされたホースを巻き取るためのホース巻取り部を備えたホース巻取り装置において、
前記ホース巻取り部は、巻取りハウジングに回転自在に支持された第１回転軸と、前記第１回転軸に相対的に回転自在に支持された第２回転軸と、前記第１回転軸と一体的に回動する主巻取り軸と、前記第２回転軸と一体的に回動する副巻取り軸と、前記第１回転軸と一体的に回動するように設けられ、前記副巻取り軸が当接する第１及び第２当接部を有する当接部材と、前記第１回転軸を回転駆動させるための回転操作ハンドルと、を備えており、
前記副巻取り軸が前記第１当接部に当接する第１状態においては、前記主巻取り軸及び前記副巻取り軸を結ぶ外周円は大きくなるように構成され、前記副巻取り軸が前記第２当接部に当接する第２状態においては、前記主巻取り軸及び前記副巻取り軸を結ぶ外周円は小さくなるように構成されており、
前記ホースを巻き取るときには、前記ホースを二つ折りして前記副巻取り軸に差し込んで前記主巻取り軸に巻き掛けた状態にて、前記回転操作ハンドルが所定方向に回動され、前記副巻取り軸に対して前記主巻取り軸が前記所定方向に相対的に回動され、前記当接部材の前記第１当接部が前記副巻取り軸に当接された後は前記主巻取り軸及び前記副巻取り軸が一体的に回動して前記ホースを巻き取り、また巻き取った前記ホースを取り外すときには、前記回転操作ハンドルが前記所定方向と反対方向に回動され、前記主巻取り軸が前記副巻取り軸に対して相対的に回動され、前記当接部材の前記第２当接部が前記副巻取り軸に当接されることを特徴とする。
【０００７】
本発明の請求項２に記載のホース巻取り装置では、前記主巻取り軸は、その縦断面形状が半円乃至三日月状で、片側に円弧状に突出しており、前記第１状態においては、前記円弧状突部が前記副巻取り軸から離隔する離隔位置に位置し、これにより前記主巻取り軸及び前記副巻取り軸を結ぶ外周円は大きくなり、また前記第２状態においては、前記円弧状突部が前記副巻取り軸に近接する近接位置に位置し、これにより前記主巻取り軸及び前記副巻取り軸を結ぶ外周円は小さくなることを特徴とする。
【０００８】
また、本発明の請求項３に記載のホース巻取り装置では、装置本体に所定方向に延びる旋回軸線を中心として旋回自在に装着された旋回アームを備え、前記旋回アームに前記ホース巻取り部の前記巻取りハウジングが設けられているとともに、前記旋回アーム又は前記巻取りハウジングに押圧アームが設けられ、また前記装置本体に前記ホースを案内するための案内ローラが回転自在に設けられており、前記ホースを巻き取るときには、前記押圧アームを下方に押圧させて前記主巻取り軸及び前記副巻取り軸間に巻き取られた前記ホースの所定部位を前記案内ローラに接触乃至押圧させながら前記回転操作ハンドルを前記所定方向に回動させることを特徴とする。
【０００９】
また、本発明の請求項４に記載のホース巻取り装置は、ホースを巻き取るためのホース巻取り部を備えたホース巻取り装置において、
前記ホース巻取り部は、巻取りハウジングに回転自在に支持された回転軸と、前記回転軸に周方向に間隔をおいて配設され、前記ホースを巻き取る巻取り角度位置と前記巻取り角度位置から径方向内方に揺動した取外し角度位置との間を揺動自在である複数の巻取り部材と、前記複数の巻取り部材を前記巻取り角度位置に保持するための第１の位置と前記取外し角度位置への揺動を許容するための第２の位置との間を移動自在に前記回転軸に支持された保持手段と、前記回転軸を回転駆動させるための回転操作ハンドルと、を備えており、
前記ホースを巻き取るときには、前記保持手段が前記第１の位置に位置付けられて前記複数の巻取り部材が前記巻取り角度位置に保持され、この状態にて前記回転操作ハンドルが所定方向に回動され、前記回転軸が前記所定方向に回動されて前記ホースが前記複数の巻取り部材に巻き取られ、また巻き取った前記ホースを取り外すときには、前記保持手段が前記第１の位置から前記第２の位置に位置付けられ、これによって前記複数の巻取り持部材が前記巻取り角度位置から前記取外し角度位置への揺動が許容されることを特徴とする。
【００１０】
また、本発明の請求項５に記載のホース巻取り装置では、前記複数の巻取り部材の内側部には、基部側から先端側に向けて順に、巻取り角度保持部、前記巻取り角度保持部の先端部から先端側に向けて径方向外方に延びるテーパ部、及び前記テーパ部の先端部から先端側に延びる取外し角度保持部が設けられており、前記保持手段は、前記巻取り角度保持部から前記テーパ部を通って前記取外し角度保持部まで移動する保持部材を備えており、前記保持手段が前記第１の位置にあるときには、前記保持部材が前記複数の巻取り部材の前記巻取り角度保持部に位置付けられ、また前記保持手段が前記第１の位置から前記ホース保持部材の先端側に前記第２の位置まで移動されると、前記保持部材が前記複数の巻取り部材の前記取外し角度保持部に位置付けられることを特徴とする。
【００１１】
また、本発明の請求項６に記載のホース巻取り装置では、前記複数の巻取り部材の内側部には、基部側から先端側に向けて順に、取外し角度保持部、前記取外し角度保持部の先端部から先端側に向けて径方向内方に延びるテーパ部、及び前記テーパ部の先端部から先端側に延びる巻取り角度保持部が設けられており、前記保持手段は、前記巻取り角度保持部から前記テーパ部を通って前記取外し角度保持部まで移動する保持部材を備えており、前記保持手段が前記第１の位置にあるときには、前記保持部材が前記複数の巻取り部材の前記巻取り角度保持部に位置付けられ、また前記保持手段を前記ホース保持部材の基部側に前記第２の位置まで移動させると、前記保持部材が前記複数の巻取り部材の前記取外し角度保持部に位置付けられることを特徴とする。
【００１２】
また、本発明の請求項７に記載のホース巻取り装置では、前記巻取り部は装置本体に設けられ、前記装置本体の所定部位には、前記回転操作ハンドルを下方に延びる状態に磁気的に保持するための保持用磁石が設けられていることを特徴とする。
【発明の効果】
【００１３】
本発明の請求項１の記載のホース巻取り装置によれば、巻取りハウジングに回転自在に装着された第１回転軸と、この第１回転軸に回転自在に装着された第２回転軸と、第１回転軸を回転させるための回転操作ハンドルとを備え、第１回転軸に主巻取り軸が設けられ、第２回転軸に副巻取り軸が設けられている。ホースを巻取りときには、二つ折りした状態のホースを副巻取り軸に差し込んで主巻取り軸に巻き掛け、かかる状態にて、回転操作ハンドルを所定方向に回動する。かく回転操作ハンドルを回転操作すると、副巻取り軸に対して主巻取り軸が所定方向に相対的に回動され、当接部材の第１当接部が副巻取り軸に当接した後は主巻取り軸及び副巻取り軸が一体的に回動してホースを巻き取り、このようにしてホースを巻き取ることができる。このよう巻き取ったホースを取り外すときには、回転操作ハンドルを所定方向と反対方向に回動し、当接部材の第２当接部を副巻取り軸に当接させる。このように所定方向と反対方向に回動すると、主巻取り軸及び副巻取り軸の位置関係が第１状態から第２状態となり、巻き取ったホースの中心部が幾分緩められ、これによって、巻き取ったホースを主巻取り軸及び副巻取り軸から容易に取り外すことができる。尚、ホースを二つ折りする場合、両端部に接続用金具が設けられているものでは略中央部にて二つ折りするようになるが、このような金具がないものでは、巻き始めの部分（一端部）を二つ折りするようになる。
【００１４】
また、本発明の請求項２に記載のホース巻取り装置によれば、主巻取り軸の縦断面形状が半円乃至三日月状で片側に円弧状に突出し、第１状態においては主巻取り軸の円弧状突部が副巻取り軸から離隔する位置に位置し、第２状態においては主巻取り軸の円弧状突部が副巻取り軸に近接する位置に位置するので、第１状態から第２状態になると、主巻取り軸及び副巻取り軸の外周円が小さくなって巻き取ったホースの中央部に空隙が生じて幾分緩むようになり、これによって、主巻取り軸及び副巻取り軸に巻き取られたホースを容易に取り外すことができる。
【００１５】
また、本発明の請求項３に記載のホース巻取り装置によれば、装置本体に旋回アームが旋回自在に装着され、この旋回アームにホース巻取り部の巻取りハウジングが設けられているとともに、旋回アーム又は巻取りハウジングに押圧アームが設けられている。ホースを巻き取るときには、押圧アームを下方に押圧させて主巻取り軸及び副巻取り軸間に巻き取られたホースを、ホースを案内するための案内ローラに接触乃至押圧させながら回転操作ハンドルを所定方向に回動させるので、ホースを主巻取り軸及び副巻取り軸に堅くきれいに巻き取ることができる。
【００１６】
また、本発明の請求項４に記載のホース巻取り装置によれば、ホース巻取り部は、巻取りハウジングに回転自在に支持された回転軸と、この回転軸に周方向に間隔をおいて配設された複数の巻取り部材と、回転軸を回転させるための回転操作ハンドルとを備え、複数のホース巻取り部材は、巻取り角度位置とこの巻取り角度位置から径方向内方に揺動した取外し角度位置との間を揺動自在に装着されている。ホースを巻き取るときには、保持手段が第１の位置に位置付けられ、これによって複数の巻取り部材が巻取り角度位置に保持され、かかる状態にて回転操作ハンドルを所定方向に回動することによって、ホースが複数の巻取り部材に巻き取られる。また、巻き取ったホースを取り外すときには、保持手段が第１の位置から第２の位置に位置付けられ、これによって巻き取られたホースの作用により複数の巻取り部材が巻取り角度位置から取外し角度位置に移動し、かかる移動によって、複数の巻取り部材と巻き取られたホースとの間に幾分かの空隙が生じて巻かれたホースの中央部が幾分緩められ、かくして、複数の巻取り部材に巻き取られたホースを容易に取り外すことができる。
【００１７】
また、本発明の請求項５に記載のホース巻取り装置によれば、複数の巻取り部材の内側部には、それらの先端側に向けて順に、巻取り角度保持部、テーパ部及び取外し角度保持部が設けられ、保持手段は巻取り角度保持部からテーパ部を通って取外し角度保持部まで移動する保持部材を備えている。そして、ホースを巻き取るときには、保持部材が複数の巻取り部材の巻取り角度保持部に位置付けられるので、これら巻取り部材にホースを巻き付けることができる。また、巻き付けたホースを取り外すときには、保持部材を押し込んで第１の位置から第２の位置まで移動させればよく、このように移動すると、保持部材が複数の巻取り部材の取外し角度保持部に位置付けられ、これによってこれら巻取り部材は半径方向内方への揺動が許容され、巻き取ったホースを容易に取り外すことができる。
【００１８】
また、本発明の請求項６に記載のホース巻取り装置によれば、複数の巻取り部材の内側部には先端側に向けて順に取外し角度保持部、テーパ部及び巻取り角度保持部が設けられ、保持手段は巻取り角度保持部からテーパ部を通って取外し角度保持部まで移動する保持部材を備えている。そして、ホースを巻き取るときには、保持部材が複数の巻取り部材の巻取り角度保持部に位置付けられるので、これら巻取り部材にホースを巻き付けることができる。また、巻き付けたホースを取り外すときには、保持部材を引っ張って第１の位置から第２の位置まで移動させればよく、このように移動すると、保持部材が複数の巻取り部材の取外し角度保持部に位置付けられ、これによってこれら巻取り部材は半径方向内方への揺動が許容され、巻き取ったホースを容易に取り外すことができる。
【００１９】
また、本発明の請求項７に記載のホース巻取り装置によれば、複数の巻取り部材を回転させてホースを巻き取るための回転操作ハンドルが設けられ、装置本体の所定部位には保持用磁石が設けられているので、この保持用永久磁石の作用によって、回転操作ハンドルを下方に延びる状態に磁気的に保持することができ、この回転操作ハンドルが振れるのを防止することができる。
【発明を実施するための最良の形態】
【００２０】
以下、添付図面を参照して、本発明に従うホース巻取り装置の実施形態について説明する。まず、図１〜７を参照して、本発明に従うホース巻取り装置の第１の実施形態について説明する。図１は、第１の実施形態のホース巻取り装置を示す側面図であり、図２は、図１のホース巻取り装置の平面図であり、図３は、図１のホース巻取り装置のホース巻取り部及びそれに関連する構成を示す断面図であり、図４は、図３のホース巻取り部に二つ折りしたホースを掛けた状態を説明するための図であり、図５は、図１のホース巻取り装置にホースを巻き取っている状態を示す図であり、図６は、図３のホース巻取り部にホースを巻き取った状態を示す図であり、図７は、図３のホース巻取り部に巻き取ったホースを取り外すときの状態を示す図である。
【００２１】
図１及び図２において、図示のホース巻取り装置２は、地面４などに設置される装置本体６を備えている。この装置本体６は基台８を備え、基台８は一対の主フレーム１０，１２と、一対の主フレーム１０，１２の両端部を接続する接続フレーム１４，１６とから構成されている。この基台６の一端部（図１及び図２において左端部であって、この実施形態では一対の主フレーム１０，１２の両端部）に一対の支持プレート１８，２０が装着され、かかる支持プレート１８，２０に、幅方向（図１において紙面に垂直な方向、図２において上下方向）内側に延びる第１支持軸２２，２４を介して第１案内ローラ２６，２８が回転自在に支持されている。この基台８の一端部には、また、Ｌ字状の第１支持部材３０が装着され、この第１支持部材３０には上記幅方向に間隔をおいて一対の第２支持軸３２，３４が設けられている。第２支持軸３２，３４は上方に延び、かかる第２支持軸３２，３４に第２案内ローラ３６，３８が回転自在に装着されている。
【００２２】
この装置本体６の他端部近傍には一対の支持脚部４０，４２が設けられ、かかる一対の支持脚部４０，４２の上端部間に第３支持軸４４が取り付けられ、この第３支持軸４６に第３案内ローラ４４が回転自在に支持されている。また、一対の支持脚部４０，４２にはＬ字状の第２支持部材４８が取り付けられ、第２支持部材４８には上記幅方向に間隔をおいて一対の第４支持軸５０，５２が取り付けられ、かかる一対の第４支持軸５０，５２に第４案内ローラ５４，５６が回転自在に装着されている。
【００２３】
この実施形態においては、装置本体４の一端部、具体的には一方の接続フレーム１４に、支持プレート２０及びスペーサ５８を貫通して接続フレーム１４に装着された旋回支持軸６０（所定方向に、この実施形態では幅方向に延びる旋回軸線を構成する）を介して旋回アーム６２の一端部が旋回自在に装着されている。この旋回アーム６２の他端側は図１及び図２において右方に第３案内ローラ４４の上方に延びている。この実施形態では、第２支持部材４８の第３案内ローラ５６側の端部は、この旋回アーム６２を越えて更に外方に延びており（図２参照）、従って、この旋回アーム６２は、第２支持部材４８のこの端部に当接することによって図１及び図２に示す状態に保持され、かかる状態から更に図１において時計方向に下方に旋回するのが阻止される。
【００２４】
旋回アーム６２の先端部には、二つ折りされたホース、例えば消防用ホース６４を巻き取るためのホース巻取り部６６が設けられている。図３をも参照して、このホース巻取り部６６は、旋回アーム６２の先端部に固定された円筒スリーブ状の巻取りハウジング６８を備え、この巻取りハウジング６８内に一対の軸受７０を介して第１回転軸７２が回転自在に支持されている。この第１回転軸７２の一端部（図３において左端部）外周には第２回転軸７４が回転自在に支持され、第２回転軸７４は第１回転軸７２に対して相対的に回動可能に構成されている。尚、第１回転軸７２は中空軸から構成されているが、中実軸から構成するようにしてもよい。
【００２５】
第１回転軸７２の一端部には、略半円状の当接部材７６と、この当接部材７６から軸線方向外方（図３において左方）に延びる主巻取り軸７８とが設けられ、これら当接部材７６及び主巻取り軸７８は第１回転軸７２と一体的に回転する。当接部材７６の一端部には第１当接部８０が設けられ、その他端部には第２当接部８２が設けられている（図６、図７参照）。また、主巻取り軸７８は、その縦断面形状が半円乃至三日月状であり、片側に円弧状に突出する円弧状突部８４を有している（図４，図６、図７参照）。更に、第２回転軸７４には、主巻取り軸７８と協働して消防用ホース６４を巻き取るための副巻取り軸８６が設けられている。この副巻取り軸８６は主巻取り軸７８とほぼ平行に上記軸線方向外方に延び、第２回転軸７４と一体的に回動する。副巻取り軸７８が当接部材７６の第１当接部８０と当接する第１の状態においては、図４及び図６に示すように、主巻取り軸７８の円弧状突部８４が副巻取り軸８６と離隔する離隔位置（この位置においては、主巻取り軸７８の凹状面が副巻取り軸８６と対向する）に位置し、主巻取り軸７８及び副巻取り軸８６を結ぶ外周円（即ち、消防用ホース６４が巻き取られる面）は大きくなる。一方、副巻取り軸７８が当接部材７６の第２当接部８２と当接する第２の状態においては、図７に示すように、主巻取り軸７８の円弧状突部８４が副巻取り軸８６と近接する近接位置（この位置においては、主巻取り軸７８の円弧状突部８４が副巻取り軸８６と対向する）に位置し、主巻取り軸７８及び副巻取り軸８６を結ぶ外周円は小さくなる。
【００２６】
ホース巻取り部６６は、更に、消防用ホース６４を巻き取るための回転操作ハンドル９０を備えている。回転操作ハンドル９０は第１回転軸７２に例えば固定ボルト９２により固定され、その先端部にはハンドル部９４が回転自在に装着されている。また、旋回アーム６２の先端部には押圧アーム９６が固定され、この押圧アーム９６の先端部には押圧部９８が設けられている。この押圧アーム９６は旋回アーム６２の先端部から斜め上方（図１において右上方）に延びている。この押圧アーム９６は、巻取りハウジング６８に固定するようにしてもよく、より強固に固定するために旋回アーム６２及び巻取りハウジング６８に固定するようにしてもよい。
【００２７】
次に、主として図１及び図３〜図７を参照して、上述したホース巻取り装置によるホースの巻取り操作について説明する。消防用ホース６４を巻き取るときには、このホース６４の長手方向中央部付近で二つ折りして上下方向に重ねる。このとき、二つ折りされた消防用ホース６４の雌金具９５と雄金具９７は幾分ずれた状態となる。消防用ホース６４の如く両端部に金具が設けられているものでは長手方向略中央部で二つ折りするようになるが、このような金具がないものでは巻き始めの部分を二つ折りするようになる。
【００２８】
次いで、消防用ホース６４の二つ折りした中央部を一対の第２案内ローラ３６，３８の間を通り、一対の第１案内ローラ２６，２８の上を通り、更に一対の第４案内ローラ５４，５６の間を通り、第３案内ローラ４４の上を通してローラ巻取り部６６に導き、この二つ折りした中央部をローラ巻取り部６６の上側から副巻取り軸８６に差し込む。かく差し込むと、図４に示す状態になり、巻き取るべきホース６４は、二つ折りした状態にて主巻取り軸７６及び副巻取り軸８６に巻かれた状態となる。
【００２９】
このように掛けた状態にて、押圧アーム９６の押圧部９８を軽く押圧しながら回転操作ハンドル９０を所定方向に回動させて図５に示すようにして二つ折りした消防用ホース６４をホース巻き取り部６６に巻き取る。この巻き取りの初期においては、副巻取り軸８６にホース６４が掛かって負荷が作用しているので、副巻取り軸８６（第２回転軸７４）に対して巻取り軸７８（第１回転軸７８）が相対的に回転され、主巻取り軸７８と一体的に回転する当接部材７６の第１当接部８０が副巻取り軸８６に当接する第１の状態になった（図６参照）後は、主巻取り軸７８と副巻取り軸８６とが一体的に回転してホース６４を巻き取る。この巻取り時、消防用ホース６４の両側部は、一対の第２案内ローラ３６，３８及び一対の第４案内ローラ５４，５６に案内され、これによって、消防用ホース６４をきれいに巻き取ることができる。また、押圧アーム９６を下方に軽く押圧するので、ホース巻取り部６６に巻き取られたホース６４が、第３案内ローラ４４上を移動するホース６４の所定部位に接触乃至押圧し、これによって、巻き取るべきホース６４に引っ張りを加えながら巻き取ることができ、かくして、二つ折りしたホース６４を堅く巻き取ることができる。尚、ホースの巻き取る堅さは、押圧アーム９６の押圧力によって調整することができ、堅く巻き取る場合には、押圧アーム９６の押圧力を大きくしてホース６４に加わる引張力を大きくすればよい。このようにして二つ折りした消防用ホース６４を所要の通りにホース巻取り部６６に巻き取ることができ。巻き終えると、例えば図６に示す状態となる。
【００３０】
このように巻き取った消防用ホース６４を、ホース巻取り部６６から取り外すには、回転操作ハンドル９０を所定方向と反対方向に半回転させ（１８０度回転させる）、かかる状態にて巻き取られたホース６４を引っ張って外せばよい。回転操作ハンドル９０をこのように回転させると、副巻取り軸８６にホース６４の中央部が掛けられて負荷が作用しているので、この副巻取り軸８６（第２回転軸７４）に対して主巻取り軸７８（第１回転軸７２）及び当接部材７６が相対的に回動され、図７に示すように、当接部材７６の第２当接部８２が副巻取り軸８６に当接する第２の状態となる。この第２の状態においては、図６と対比することによって容易に理解される如く、主巻取り軸７８及び副巻取り軸８６の外周円が第１の状態の時よりも小さくなり、従って、巻き取られたホース６４の中心部において間隙が生成されて幾分か緩むようになり、かくして、巻き取ったホース６４を主巻取り軸７８及び副巻取り軸８６から容易に外すことができる。
【００３１】
次に、図８〜図１１を参照して、ホース巻取り装置の他の実施形態について説明する。図８は、他の実施形態のホース巻取り装置を示す側面図であり、図９は、図８のホース巻取り装置の平面図であり、図１０は、図８のホース巻取り装置のホース巻取り部及びそれに関連する構成を示す断面図であり、図１１は、図１０のホース巻取り部の巻取り部材が取外し角度位置にあるときの状態を示す断面図である。
【００３２】
図８及び図９において、この実施形態のホース巻取り装置１０２は、地面１０４などに設置される設置本体１０６を備え、この装置本体１０６はプレート状の基台１０８から構成されている。この基台１０８の一端部（図８において右端部）にＬ字状の支持部材１１０が装着され、この支持部材１１０は基台１０８から幅方向（図８において紙面に垂直な方向、図９において上下方向）片側に突出して延びている。支持部材１１０には、上記幅方向に間隔をおいて一対の第１支持軸１１２，１１４が取り付けられ、かかる一対の第１支持軸１１２，１１４に第１案内ローラ１１６，１１８が回転自在に装着されている、
また、基台１０８の他端部近傍には支持脚１２０が設けられ、かかる支持脚１２０の上端部にホース巻取り部１２２が設けられている。また、支持脚１２０の基部には取付支持部材１２４が取り付けられ、この取付支持部材１２４も、支持部材１１０と同様に、基台１０８から上記幅方向片側に突出して延びている。取付支持部材１２４の両端部にはブラケット１２６，１２８が取り付けられ、かかるブラケット１２６，１２８間に第２支持軸１３０が固定され、この第２支持軸１３０に第２案内ローラ１３２が回転自在に装着されている。また、取付支持部材１２４の下面には、上記幅方向に間隔をおいて一対の第３支持軸１３４，１３６が設けられ、かかる第３支持軸１３４，１３６に第３案内ローラ１３８，１４０が回転自在に装着されている。
【００３３】
次に、図８及び図９とともに図１０及び図１１を参照して、ホース巻取り部１２２について説明すると、図示のホース巻取り部１２２は支持脚１２０の上端部に取り付けられた円筒スリーブ状の巻取りハウジング１４２を備え、この巻取りハウジング１４２内に一対の軸受１４４を介して回転軸１４６が回転自在に支持されている。この回転軸１４４の一端部（図１０において左端部）外周部には、周方向に間隔をおいて複数（この実施形態では三つ）の取付部１４８が設けられ、これらの各取付部１４８に連結ピン１５０を介して巻取り部材１５２の基部が揺動自在に連結されている。各巻取り部材１５２は回転軸１４４の一端部から幅方向片側外方に延びており、その内側部には、基部から先端側に向けて順に、直線状に延びる取外し角度保持部１５８が設けられている。
【００３４】
複数の巻取り部材１５２の内側に、これらを図１０に示す巻取り角度位置に保持するための保持手段１６０が配設されている。保持手段１６０は、回転軸１４６に設けられた貫通孔１６２を貫通して相対的に回転自在に支持された保持部材１６４を備えている。保持部材１６４の一端部には大径部１６６が設けられ、この大径部１６６の先端部に球状の保持部１６８が設けられ、この保持部１６８が後述するように巻取り部材１５２の巻取り角度保持部１５４と取外し角度保持部１５８との間を移動することができるように構成されている。また、回転軸１４６の他端面には、この回転軸を回転するための回転操作ハンドル１７０が設けられ、この回転操作ハンドル１７０の先端部にハンドル部１７２が回転自在に装着されている。保持部材１６４の他端部は回転操作ハンドル１７０を貫通し、巻取りハウジング１４２を越えて外方に突出しており、この突出端部に球状の操作部１７４が設けられている。
【００３５】
また、この操作部１７４と回転操作ハンドル１７０との間には、保持部材１７４を被嵌してコイルばね１７６が介在されている。このコイルばね１７６は操作部１７４に作用して保持部材１６４を図１０において右方に弾性的に偏倚し、この保持部材１６４を図１０に示す第１の位置に保持する。この第１の位置においては、保持手段１６０の保持部１６８が複数の巻取り部材１５２の巻取り角度保持部１５４に作用してこれらを径方向外方に幾分拡げ、複数の巻取り部材１５２は巻取り角度位置に保持され、それらの外側面（巻取り角度保持部１５４などが設けられた側面と反対側の側面）は円筒状の巻取り面を規定する。尚、この第１の位置においては、支持部材１６４の大径部１６６が回転軸１４６の端面に当接し、第１の位置を越える移動が阻止される。また、コイルばね１７６の弾性作用に抗して操作部１７４を矢印１７８で示す方向に押すと、巻取り角度保持部１５４からテーパ部１５６を経て図１１に示す第２の位置に移動させることができる。この第２の位置においては、保持手段１６０の保持部１６８が複数の巻取り部材１５２の取外し角度保持部１５８に位置して巻取り部材１５２の径方向内方への旋回動を許容し、それらの取外し角度保持部１５８が保持部１６８に当接することによって、巻取り部材１５２は図１１に示す取外し角度位置に保持され、それらの外側部は、先端に向けて径方向内方に幾分傾斜して延びる。
【００３６】
この他の実施形態では、更に、例えば排水用ホース１８０の巻き初めを容易とするために、特定の巻取り部材１５２間に差込みロッド１８２が配設され、かかる差込みロッド１８２が回転軸１４６の外周部に固定されている。この差込みロッド１８２は巻取り部材１５２に対してほぼ平行に延びており、それ自体幾分弾性を有するのが望ましい。更に、持ち運びの際などに回転操作ハンドル１７０が振れるのを防止するために、回転操作ハンドル１７０が鉄など磁性材料から形成されているとともに、支持脚１２０の所定部位に永久磁石１８４が設けられており、従って、図１０に示すように、回転操作ハンドル１７０は、永久磁石１８４の磁気的吸引作用によって下方に垂れ下がった角度位置に保持される。更に、巻取りハウジング１４２の外周面の上部には、押圧アーム１８８（図９〜図１１においては省略して示している）の基部が固定されている。この押圧アーム１８８の先端部には押圧部１９０が設けられ、ホース１８０を巻き取るときには、この押圧アーム１８８を押圧することによって、装置本体１０６の安定性を保つことができるとともに、回転操作ハンドル１７０の回転操作を容易に行うことができる。
【００３７】
次に、図１０及び図１１も参照して、上述したホース巻取り装置１０２によるホース１８０の巻取り操作について説明する。排水用ホース１８０を巻き取るときには、このホース１８０の巻き始め部分（例えば、一端部）を二つ折りの状態とする。
【００３８】
次いで、このホース１８０の二つ折りした巻き始め部分を一対の第１案内ローラ１１６，１１８及び一対の第３案内ローラ１３８，１４０の間を通り（図９参照）、更に第２案内ローラ１３２に巻き掛けてローラ巻取り部１２２に導き、ローラ巻取り部１２２の上側から差込みロッド１８２に差し込む。かく差し込むと、巻き取るべきホース１８０は、複数の巻取り部材１８２の周面の一部に巻かれた状態となる。
【００３９】
このように掛けた状態にて、押圧アーム１８８の押圧部１９０を軽く押圧しながら回転操作ハンドル１７０を所定方向に回動させて排水用ホース１８０をホース巻取り部１２２に巻き取る。この巻取り時においては、図１０に示すように、保持手段１６０は第１の位置に保持され、その保持部１６８は複数の巻取り部材１５２の巻取り角度保持部１５４に作用するので、ホース１８０は、巻取り角度位置に保持された巻取り部材１５２に巻き取られる。また、この巻取り時、巻き取るべきホース１８０の両側部は、一対の第１案内ローラ１１６，１１８及び一対の第３案内ローラ１３８，１４０に案内され、これによって、排水用ホース１８０をきれいに巻き取ることができる。
【００４０】
このように巻き取った排水用ホース１８０を、ホース巻取り部１２２から取り外すには、保持手段１６０を矢印１７８（図１０参照）で示すように押して第２の位置に位置付け、かかる状態にて巻き取られたホース１８０を引っ張って外せばよい。保持手段１６０を第２の位置に移動させると、図１１に示すように、保持手段１６０の保持部１６８が巻取り部材１５２の巻取り角度保持部１５４からテーパ部１５６を通って取外し角度保持部１５８に移動し、複数の巻取り部材１５２の取外し角度位置への揺動が許容される。従って、巻かれたホース１８０を引っ張って外そうとすると、これら巻取り部材１５２が巻取り角度位置から径方向内方に取外し角度位置に揺動し、従って、巻き取られたホース１８０の中心部において間隙が生成されて幾分か緩むようになり、かくして、巻き取ったホース１８０を巻取り部材１５２から容易に外すことができる。
【００４１】
上述した実施形態では、保持手段１６０を押圧して第１の位置から第２の位置に位置付けているが、これとは反対に、保持手段を引いて第１の位置から第２の位置に位置付けるように構成してもよい。この場合、複数の巻取り部材の各々の内側部には、基部から先端側に向けて順に、取外し角度保持部、この取外し角度保持部の先端部から先端側に向けて径方向内方に傾斜するテーパ部と、テーパ部の先端部から直線状に延びる巻取り角度保持部が設けられ、第１の位置にあるときには、保持手段の保持部が巻取り角度保持部に位置して巻取り保持部材を巻取り角度位置に保持し、保持手段の操作部を引いて第２の位置に移動させたときには、この保持部が取外し位置保持部に位置して巻取り部材の取外し角度位置への揺動を許容するように構成することができ、このように構成しても同様の作用効果が達成される。
【００４２】
以上、本発明に従うホース巻取り装置の実施形態について説明したが、本発明はかかる実施形態に限定されるものではなく、本発明の範囲を逸脱することなく種々の変形乃至修正が可能である。
【図面の簡単な説明】
【００４３】
【図１】第１の実施形態のホース巻取り装置を示す側面図。
【図２】図１のホース巻取り装置の平面図。
【図３】図１のホース巻取り装置のホース巻取り部及びそれに関連する構成を示す断面図。
【図４】図３のホース巻取り部にホースを掛けた状態を説明するための図。
【図５】図１のホース巻取り装置にホースを巻き取っている状態を示す図。
【図６】図３のホース巻取り部にホースを巻き取った状態を示す図。
【図７】図３のホース巻取り部に巻き取ったホースを取り外すときの状態を示す図。
【図８】他の実施形態のホース巻取り装置を示す側面図。
【図９】図８のホース巻取り装置の平面図
【図１０】図８のホース巻取り装置のホース巻取り部及びそれに関連する構成を示す断面図。
【図１１】図１０のホース巻取り部の巻取り部材が取外し角度位置にあるときの状態を示す断面図。
【符号の説明】
【００４４】
２，１０２  ホース巻取り装置
６，１０６  装置本体
４４  第３案内ローラ
６２  旋回アーム
６４，１８０  ホース  
６６，１２２  ホース巻取り部
７２  第１回転軸
７４  第２回転軸
７６  当接部材
７８  主巻取り軸
８０，８２  当接部
８６  副巻取り軸
９０，１７０  回転操作ハンドル
９６，１８８  押圧アーム
１４６  回転軸
１５２  巻取り部材
１５４  巻取り角度保持部
１５８  取外し角度保持部
１６０  保持手段
１８２  差込みロッド
【図１】
2007099501.tif 000003
【図２】
2007099501.tif 000004
【図３】
2007099501.tif 000005
【図４】
2007099501.tif 000006
【図５】
2007099501.tif 000007
【図６】
2007099501.tif 000008
【図７】
2007099501.tif 000009
【図８】
2007099501.tif 000010
【図９】
2007099501.tif 000011
【図１０】
2007099501.tif 000012
【図１１】
2007099501.tif 000013